(57)【要約】【課題】記録媒体の厚み方向および面方向の記録位置を確認しながら記録および再生を行なうことができる記録媒体およびそれを用いたサーボ信号検出方法、情報記録再生装置を提供する。【解決手段】記録媒体１を２層構造とし、一方の層を記録層２、他方の層をアライメント層３とする。アライメント層３には、位置情報を含んだアライメント用ホログラム５を形成する。記録層２中で記録位置が変化すると、アライメント層３に入射される信号光の波面も変化する。すなわち、記録位置により異なる信号光が記録媒体１の厚み方向に関する位置情報となり、アライメント層３に異なる波面を多重記録しておくことで、厚み方向の位置情報を含んだアライメント用ホログラム５となる。【選択図】図１
2008052793.tif 000002
【特許請求の範囲】
【請求項１】
情報を記録する記録層と、アライメント層とを備え、
前記記録層は、第１の波長の光に感光する光反応材料で形成され、
前記アライメント層は、前記第１の波長とは異なる第２の波長の光に感光する光反応材料で形成されている、記録媒体。
【請求項２】
前記アライメント層は、位置情報を含んだホログラムによって構成されている、請求項１に記載の記録媒体。
【請求項３】
前記アライメント層のホログラムは、記録媒体の厚み方向に対する記録位置情報を含み、前記ホログラムの選択性によってアライメントを行なう、請求項１または２に記載の記録媒体。
【請求項４】
前記ホログラムは、記録層とアライメント層とが積層された後に形成することが可能である、請求項１から３のいずれかに記載の記録媒体。
【請求項５】
前記第１の波長の光は、波長範囲が３８０ｎｍ以上、４２０ｎｍ以下の光を含む青色の光であり、
前記第２の波長の光は、第１の波長より長波長であり、その波長が５００ｎｍ以上の光である、請求項１から４のいずれかに記載の記録媒体。
【請求項６】
請求項１から５のいずれかに記載の記録媒体を用いたサーボ信号検出方法であって、
前記アライメント層から再生された位置情報によりフォーカス方向のサーボ信号を検出する、サーボ信号検出方法。
【請求項７】
請求項１から５のいずれかに記載の記録媒体を用いて記録および再生を行なう、情報記録再生装置。
【発明の詳細な説明】
【技術分野】
【０００１】
この発明は、ホログラムを用いて記録を行なう、ホログラム記録用の記録媒体およびそれを用いたサーボ信号検出方法、情報記録再生装置に関する。
【背景技術】
【０００２】
光メモリにおける記録容量拡大のため、ホログラフィックに記録再生を行なうホログラムメモリが提案されている。その記録方式としては様々な提案がなされている。たとえば、２次元のビットマップ情報を乗せた光を信号光とし、その信号光と、他方から照射した参照光との干渉縞から成るホログラムを、記録情報として記録媒体に記録する方法がある。
【０００３】
このような記録方式を用いた記録媒体の構造として、情報を記録するための記録層、記録位置情報を記録するためのアライメント層の２層構造からなる記録媒体が提案されている（たとえば、特許文献１（特開２００５−３１６００６号公報）、特許文献２（特開２００５−２３４１０２号公報）参照）。
【０００４】
この記録媒体において、アライメント層は、凹凸の反射面で構成されている。記録層とアライメント層との間には波長選択膜等の波長を分離する手段が形成され、アライメント用の光のみがアライメント層に到達するようになっている。
【０００５】
このような構造とすることで、記録層にはアライメント用の光の影響を与えることなく、記録媒体の光軸と垂直な面に対する記録情報の記録位置の確認が可能となる。以下この記録媒体の面に沿う方向を面方向と称す。
【０００６】
しかしながら、ホログラムメモリの記録において、記録媒体の厚み方向に記録することで、さらに記録容量を向上させることが可能である。すなわち、面方向のみに記録情報を配列することは、記録媒体厚み方向に対しては一部のダイナミックレンジしか使用していないこととなる。そのため、ほとんどの部分は記録されずに残っているため、厚み方向に残っている部分にも記録することが考えられる。
【０００７】
厚み方向に記録することが可能であれば、理想的には、面方向に記録した容量に対して、厚み方向の記録層分の容量が増えることになる。しかしながら、このような場合、従来から提案されている上記の記録媒体では、厚み方向の記録位置の制御を行なうことができない。
【特許文献１】特開２００５−３１６００６号公報
【特許文献２】特開２００５−２３４１０２号公報
【発明の開示】
【発明が解決しようとする課題】
【０００８】
この発明は、上記課題を解決するためになされたものであり、記録媒体の厚み方向および面方向の記録位置を確認しながら記録および再生を行なうことができる記録媒体およびそれを用いたサーボ信号検出方法、情報記録再生装置を提供することを目的とする。
【課題を解決するための手段】
【０００９】
この発明に基づいた記録媒体に従えば、情報を記録する記録層と、アライメント層とを備え、上記記録層は、第１の波長の光に感光する光反応材料で形成され、上記アライメント層は、上記第１の波長とは異なる第２の波長の光に感光する光反応材料で形成されている。
【００１０】
上記記録媒体において、アライメント層は、位置情報を含んだホログラムによって構成されていてもよい。
【００１１】
この構成によると、記録層に記録された情報の位置を、アライメント層にアライメント用ホログラムとして記録し、それぞれを異なる波長の光で読み出すことができる。これにより、記録媒体中に波長選択膜等の波長分離手段の形成が不要となる。さらに、ホログラム記録用媒体の厚み方向のダイナミックレンジを最大限に活用し、記録容量を増加させるために厚み方向への多重記録を行なう場合に、記録媒体の面方向だけでなく、厚み方向の記録位置に関しても正確に位置制御しながら、記録および再生を行なうことができる記録媒体を提供することができる。
【００１２】
上記記録媒体において、上記アライメント層のホログラムは、記録媒体の厚み方向に対する記録位置情報を含み、上記ホログラムの選択性によってアライメントを行なうようにしてもよい。
【００１３】
この構成によると、ホログラムの選択性を用いるため、サブμｍ間隔でのアライメントが可能となる。これにより、記録容量向上のため、記録位置の間隔が狭くなる場合であっても、高精度のアライメントが可能となる。
【００１４】
上記記録媒体において、上記ホログラムを、記録層とアライメント層が積層された後に形成することが可能としてもよい。
【００１５】
この構成によると、記録層とアライメント層を積層した後にアライメント用ホログラムを形成できるので、製造工程が煩雑にならず、位置合せ装置等の高価な装置も不要であるため、記録媒体の製造コストを低く抑えることができる。
【００１６】
上記記録媒体において、上記第１の波長の光は、波長範囲が３８０ｎｍ以上、４２０ｎｍ以下の光を含む青色の光であり、上記第２の波長の光は、第１の波長より長波長であり、その波長が５００ｎｍ以上の光であってもよい。
【００１７】
この構成によると、記録層に青色のレーザ光を用いることで記録時のスポットサイズを小さくできるため、記録容量を増加させることができる。アライメント層への記録に青色以外の波長の光を用いることで、記録層を感光することなく、厚み方向のアライメント用ホログラムを記録することができる。
【００１８】
上記の記録媒体を用いて、上記アライメント層から再生された位置情報によりフォーカス方向のサーボ信号を検出することができる。このように、上記の記録媒体を用いることで、簡易な方法でサーボ信号の検出を行なうことができ、記録媒体と対物レンズの正確な位置制御を行なうことができる。
【００１９】
上記の記録媒体を用いて記録および再生を行なう情報記録再生装置を構成することができる。上記の記録媒体を用いて情報記録再生装置を構成することで、記録媒体の厚み方向に対しても記録することが可能な大容量の記録媒体に対応した情報記録再生装置を提供することができる。
【発明の効果】
【００２０】
本発明によると、記録媒体の厚み方向および面方向の記録位置を確認しながら記録および再生を行なうことができる記録媒体およびそれを用いたサーボ信号検出方法、情報記録再生装置を提供することが可能となる。
【発明を実施するための最良の形態】
【００２１】
以下、この発明に基づいた各実施の形態における記録媒体の構造について、図を参照しながら説明する。
【００２２】
（実施の形態１）
本実施の形態の特徴は、記録媒体を２層構造とし、一層を記録層、もう一方の層をアライメント層とし、アライメント層には、位置情報を含んだアライメント用ホログラムを形成することにある。
【００２３】
記録層への情報の書込みや、読取りの際には、アライメント層のホログラムに記録した位置情報により、記録層に対する書込み位置、読取り位置を確認して記録および再生を行なう。アライメント層にホログラムを形成し、ホログラムの選択性を用いることで、面方向だけでなく、記録媒体の厚み方向に関しても、位置情報を検出できるものである。
【００２４】
また、従来の記録媒体では必要であった波長選択膜等の波長分離手段の形成が不要となる。本実施の形態では、本実施の形態の特徴である記録媒体の厚み方向に対する記録および再生に関してのみを説明するが、記録媒体の面方向の記録に対しても、厚み方向に対するものと同じ原理で記録および再生を行なうことができる。
【００２５】
図１は、本実施の形態の記録媒体の概略断面図である。記録媒体１は、図１に示すように、記録層２およびアライメント層３をそれぞれ光学的に透明な基板８で挟んだ構造を有している。記録層２は、波長λ１に感光する光反応材料で形成されており、アライメント層３は、波長λ２に感光する光反応材料で形成されている。
【００２６】
より具体的には、波長λ１に感光する光反応材料としては、波長λ２に吸収波長帯域を有する光重合開始材を含むフォトポリマを用いることができ、波長λ２に感光する光反応材料としては、波長λ２に吸収波長帯域を有する光重合開始材を含むフォトポリマを用いることができる。また、透明な基板８としては、石英ガラス、プラスチック材料などを用いることができる。
【００２７】
記録層２内には、情報を含んだホログラム４が記録媒体１の厚み方向および面方向に一定の間隔で記録されている。一方、アライメント層３内には、記録層２内に記録されたホログラム４の位置情報を含んだアライメント用ホログラム５が記録されている。
【００２８】
図２は、本実施の形態の記録媒体を用いた、情報記録再生装置の一例を示す概略図である。
【００２９】
図２に示すように、本実施の形態の情報記録装置は、記録層２の記録再生を行なう波長λ１の光を出射する第１のレーザ１１と、第１のレーザ用のコリメータレンズ１２と、空間光変調器１３と、アライメント層３の記録再生を行なう波長λ２の第２のレーザ１４と、第２のレーザ１４用のコリメータレンズ１５と、波長λ２の光を反射するダイクロイックミラー１６，１７と、対物レンズ１８，１９と、撮像素子２０と、アライメント用のレンズ２１と、ナイフエッジ２２と、受光素子２３とを有している。
【００３０】
ここで、図２および図３を用いて、記録層２への情報の記録に関して説明する。図３は、記録層への情報の記録方法を説明する、記録媒体付近の光学系の構成を示す概略構成図である。
【００３１】
記録媒体１の記録層２は、対物レンズ１８の焦点付近に配置されている。本実施の形態の特徴である記録媒体１の厚み方向の記録においては、記録媒体１に対し、対物レンズ１８を光軸方向に相対的に変位させるか、或いは、対物レンズ１８に対し、記録媒体１を光軸方向に相対的に変位させることで行なう。
【００３２】
第１のレーザ１１の波長λ１の光をコリメータレンズ１２によって平行光とし、空間光変調器１３に入射させ、変調された信号光３１と参照光３２とを形成する。その後、ダイクロイックミラー１６，１７を透過させ、対物レンズ１８に入射させる。
【００３３】
本実施の形態では、信号光３１と参照光３２を同一方向から入射させ、対物レンズ１８の焦点近傍で干渉するようにしている。このようにしてホログラム４を形成し、記録層２中に記録させる。
【００３４】
記録には、光の照射エネルギーに準じた光反応材料の屈折率変化を利用するため、エネルギーの高い焦点付近のみが有効な記録位置となる。したがって、記録媒体１の厚み方向に沿って、焦点位置を変化させることにより、厚み方向に対して記録位置を変化させた多重記録が可能となる。
【００３５】
焦点を結んだ後、記録層２を透過した光は、発散光となりアライメント層３に入射する。アライメント層３は波長λ１に感度がない。そのため、光は光学的な変化を与えられることはなく、またアライメント層３は感光されない。
【００３６】
本実施の形態では、波長λ１として４０５ｎｍの青色の光を用いた。青色の光を用いることで、記録時のスポットサイズをより小さくでき、記録容量を増やすことができる。なお、青色の光の波長帯域は、光学部品の吸収が小さく安価な、半導体レーザを使用することができる、３８０ｎｍ以上、４２０ｎｍ以下とすることが望ましい。
【００３７】
次に、記録層２に記録された情報の再生について説明する。記録層２のホログラム４の再生は、参照光３２のみをホログラム４に照射することで行なう。ホログラム４からは回折光が出射され、対物レンズ１９を通して、撮像素子２０に再生像を形成する。撮像素子にはＣＭＯＳ（Complementary Metal Oxide Semiconductor）やＣＣＤ（Charge Coupled Devices）が用いられる。
【００３８】
次に図２および図４を参照して、アライメント層３への位置情報の記録に関して説明する。図４は、アライメント層への位置情報の記録を説明する、記録媒体付近の光学系の構成を示した概略構成図である。
【００３９】
記録層２への記録と同様に、アライメント層３が感度を有する第２のレーザ１４の波長λ２の光をコリメータレンズ１５によって平行光とし、ダイクロイックミラー１６で光路を変更させ、ダイクロイックミラー１７を透過させて対物レンズ１８に入射させる。
【００４０】
この時、波長λ２の光の一部は、ダイクロイックミラー１７によって、光路を９０度変更されるが、記録媒体や記録、再生には影響はない。ただし、迷光となってアライメント層３や受光素子２３に入射しないように、遮蔽板や吸収体を設ける必要がある。
【００４１】
光は記録層２の内部で焦点を結んだ後、発散光となってアライメント層３に入射する。この光をアライメント層用の信号光３３とする。
【００４２】
一方、信号光３３とは対向した方向からアライメント用の参照光３４を入射させる。本実施の形態では参照光３４を平行光とした。信号光３３と参照光３４はアライメント層３内で干渉し、アライメント用ホログラム５として記録される。
【００４３】
記録層２中で記録位置が変化すると、アライメント層３に入射される信号光３３の波面も変化する。すなわち、記録位置により異なる信号光３３が記録媒体１の厚み方向に関する位置情報となる。アライメント層３に異なる波面を多重記録しておくことで、厚み方向の位置情報を含んだアライメント用ホログラム５となる。
【００４４】
記録層２は、波長λ２に感度がないため、光は光学的な変化を与えられることはなく、また記録層２は感光されない。本実施の形態では波長λ２として５３２ｎｍの緑色の光を用いた。なお、ここでは波長λ２の光を用いたが、この波長に限定するものでなく、記録層２に対して十分感度がない５００ｎｍ以上の波長であればよい。たとえば、ＤＶＤ（Digital Versatile Disk）やＣＤ（Compact Disk）等に使用される赤色、赤外の安価な半導体レーザの波長でも良い。
【００４５】
本実施の形態においては、図１に示すように、記録層２をアライメント層３の手前に配置したが、これに限定されるものではない。上述のように、波長λ１，λ２は、それぞれ感度のない層を透過しても光学的な変化を生じさせないので、アライメント層３を記録層２の手前に配置してもよい。
【００４６】
さらに同様の理由により、本実施の形態では、記録層２のホログラムは透過型ホログラムであるが、記録層２のホログラムを記録する際に参照光を信号光と対向した方向から入射させ、反射型ホログラムとしてもよい。
【００４７】
また、記録媒体１の製造方法としては、記録層２とアライメント層３の両方の層を形成した後に、アライメント層３に位置情報を含んだアライメント用ホログラム５を形成すればよいので、製造が容易である。
【００４８】
次に、アライメント用ホログラム５を用いて厚み方向の位置情報を検出するサーボ方法について説明する。図５は、サーボ用光学系を示す概略構成図であり、図６は、サーボ信号検出時の動作を示す説明図である。
【００４９】
サーボ信号検出に関しては、従来のビット記録の光ディスク記録再生装置に用いられているナイフエッジ法や非点収差法を利用することができる。本実施の形態ではナイフエッジ法を用いた場合に関して説明する。
【００５０】
図５に示すように、記録時と同様の波面の光がアライメント用ホログラム５に入射すると、アライメント用ホログラム５から再生光３５が出射される。本実施の形態では、参照光３４として信号光３３と対向した方向から平行光を用いたため、アライメント用ホログラム５は反射型ホログラムであり、アライメント用再生光３５は、入射した方向と反対方向に平行光で出射される。
【００５１】
ここで、記録時と異なる波面が入射した場合は、再生光の光強度が小さくなる、または、全く無くなるといった現象が生じる。これをホログラムの選択性という。
【００５２】
本実施の形態では、厚み方向の位置制御を行なうにあたり、アライメント用ホログラム５の選択性を用いる。すなわち光強度の最も大きいところが正確な記録位置となる。
【００５３】
厚み方向のホログラムの選択性は、記録の方法によって数１０μｍ程度からサブμｍとなる。たとえば、記録時の信号光３３に位相変調等の光学的な変化を与えることで、選択性の値は小さくすることができ、高精度のアライメントを行なうことができる。選択性の値は、記録層２中のホログラム４の記録位置の間隔によって決めればよい。
【００５４】
さらに、フォーカス方向のサーボ信号検出方法について図２および図６を参照にして説明する。ここでは、ナイフエッジ法を用いる。平行光で出射された再生光３５を対物レンズ１８およびレンズ２１で収束光とする。レンズ２１の集光点にナイフエッジ２２を配置して、ナイフエッジ２２による光の欠けを受光素子２３により検出し、サーボ信号を得る。これにより、記録媒体１の位置調整を行なう。
【００５５】
アライメント層３から記録層２側に出射された再生光３５は、平行光の状態で対物レンズ１８に入射し、収束光となりながらダイクロイックミラー１７に入射し、レンズ２１に向けて光路を変更される。ダイクロイックミラー１７から出射した再生光３５は対物レンズ１８の焦点距離でいったん絞られてから発散光となりレンズ２１に入射する。
【００５６】
対物レンズ１８による集光点を集光点Ｐ、集光点Ｐとレンズ２１との距離をａ、レンズ２１による集光点を集光点Ｑ、レンズ２１と集光点Ｑの距離をｂとする。ここで対物レンズ１８の焦点距離をｆ１、レンズ２１の焦点距離をｆ２とし、集光点Ｐとレンズ２１間の距離ａを２ｆ２とする。この場合、レンズの公式
１／ｆ＝１／ａ＋１／ｂ  ・・・（１）
より、ｂは２ｆ２となり、レンズ２１からの距離２ｆ２のところで再度集光される。その集光点を点Ｑとしてナイフエッジ２２を配置し、その後ろ側に受光素子２３を配置する。
【００５７】
図６（ａ）に示すように、記録媒体１が正確な位置にある場合は、ナイフエッジ２２による欠けが無く、受光素子２３の受光面Ａ−Ａ’には円形のビームが入射する。
【００５８】
一方、図６（ｂ）に示すように対物レンズ１８が正確な位置からたとえばｚずれた場合、ナイフエッジ２２より手前で集光するため、受光素子２３の受光面Ａ−Ａ’にはナイフエッジ２２によって欠けたビームが入射する。
【００５９】
欠ける方向とビームの大きさにより、記録媒体１のずれの方向と大きさが変化するため、これを検出することで記録媒体１の位置調整が可能となる。
【００６０】
ここでは、対物レンズ１８に対して、記録媒体１を動かして記録位置に対するアライメントを行なう方法を述べたが、反対に記録媒体１に対して対物レンズ１８を動かしてアライメントを行なうことも可能である。その場合、対物レンズ１８からレンズ２１およびレンズ２１からナイフエッジ２２および受光素子２３の距離は固定とし、対物レンズ１８の焦点方向の移動に対して、全体を動作させる。
【００６１】
本実施の形態によれば、アライメント層をホログラムで形成することにより記録媒体の厚み方向の位置制御を行なうことが可能となる。さらに、ホログラムを用いたアライメントであるため、ホログラムの選択性を適当に決めることで、より高精度にアライメントを行なうことも可能となる。
【００６２】
また、記録層、アライメント層に波長感度の異なる光反応材料を用いることで、波長選択膜などの波長分離手段が不要となり低コストの記録媒体を提供することができる。
【００６３】
また、記録層とアライメント層を積層した後にアライメント用ホログラムを形成することができるので、製造工程を少なくすることができる。また、記録層のホログラムは透過型、反射型のいずれであっても良いので、記録方法の自由度が増す。
【００６４】
また、記録層に青色のレーザ光を用いることで記録時のスポットサイズを小さくすることができるため、記録容量を増加させることができる。アライメント層に緑色レーザを用いることで、記録層を感光することなく、厚み方向のアライメント用ホログラムを記録することができる。
【００６５】
また、簡易な方法でサーボ信号の検出が行なえ、容易に記録媒体に対する対物レンズの位置制御を行なうことができる。
【００６６】
（実施の形態２）
本実施の形態では、アライメント用ホログラムの記録に、収束光の参照光を用い、記録媒体の厚み方向のアライメントを行なう。記録層の記録再生に関しては実施の形態１と同様であるので説明は繰り返さない。
【００６７】
図７は、アライメント層への記録について説明する、記録媒体付近の光学系の構成を示した概略構成図である。本実施の形態の説明においても図２と同様の構造には同一の参照番号を付す。
【００６８】
実施の形態１と同様に、第２のレーザ１４から出射された波長λ２の光は、コリメータレンズ１５で平行光とされ、対物レンズ１８によって、記録層２中で一旦集光された後、発散光となってアライメント層３に入射される。この光がアライメント層３用の信号光３６となる。
【００６９】
一方、アライメント層３用の参照光３７は、信号光３６に対向する方向から、対物レンズ１９を透過してアライメント層３に収束光として入射する。アライメント層３には、信号光３６と参照光３７の干渉縞がアライメント用ホログラム３８として記録される。
【００７０】
次に、アライメント用ホログラム３８を再生し、位置情報を検出する方法について説明する。図８は、アライメント用ホログラムの再生方法について説明する、記録媒体付近の光学系の構成を示した概略構成図であり、図９は、サーボ信号検出時の動作を示す説明図である。
【００７１】
ここで、光学系は、サーボ検出用の集光レンズ４０およびシリンドリカルレンズ４１と、受光素子４２とを有している。本実施の形態では、検出方法として、非点収差法を用いる場合を示すが、上述のナイフエッジ法を用いても良い。
【００７２】
本実施の形態では、アライメント層３用の参照光３７として収束光を用いたため、アライメント用ホログラム３８の再生光３９は収束光で出射され、記録層２中で一旦集光し、対物レンズ１８に発散光となって入射する。
【００７３】
対物レンズ１８からは平行光となって出射され、集光レンズ４０およびシリンドリカルレンズ４１によって収束されながら、受光素子４２に入射する。ここでもアライメント用ホログラム３８の選択性により、再生光３９の光強度が変化し、正確な記録位置を検出することができる。
【００７４】
参照光に収束光を用いた場合は、平行光を用いた場合と比較して、ホログラムの選択性の値が小さくなり、高精度のアライメントが可能となる。
【００７５】
また、サーボ信号検出について図９を用いて説明する。図９（ａ）に示すように、対物レンズ１８の焦点が記録層２中の記録位置に正確にある場合、対物レンズ１８から出射される再生光３９は完全な平行光となる。したがって、集光レンズ４０、シリンドリカルレンズ４１によって収束光とされ、受光素子４２に入射される光は真円となる。
【００７６】
図９（ｂ）に示すように、一方、対物レンズ１８の焦点が記録層２中の記録位置からｚずれた場合、対物レンズ１８から出射される再生光３９は、わずかに発散光、または収束光となる。したがって、受光素子４２に入射される光は縦長または横長の楕円となる。これより、非点収差法を用いて、サーボ信号を検出することができる。
【００７７】
このように本実施の形態によれば、アライメント層の参照光を収束光とした場合であっても、実施の形態１と同様の動作を行なうことができる。
【００７８】
このように、実施の形態１および２の記録媒体は、アライメント層を有するホログラム記録用の記録媒体として利用することができる。特に、記録媒体の厚み方向に関しても多重記録を行なう場合、アライメント層に厚み方向の位置情報をホログラムとして記録しておくことにより、その方向のアライメントが可能となり、記録容量の向上に寄与することができる。
【００７９】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００８０】
【図１】この発明に基づいた実施の形態１における記録媒体の構造を示す概略断面図である。
【図２】この発明に基づいた実施の形態１における記録媒体を用いた、情報記録再生装置の一例を示す概略図である。
【図３】この発明に基づいた実施の形態１における記録層への情報の記録方法を説明する、記録媒体付近の光学系の構成を示す概略構成図である。
【図４】この発明に基づいた実施の形態１におけるアライメント層への位置情報の記録を説明する、記録媒体付近の光学系の構成を示した概略構成図である。
【図５】この発明に基づいた実施の形態１におけるサーボ用光学系を示す概略構成図である。
【図６】この発明に基づいた実施の形態１におけるサーボ信号検出時の動作を示す説明図である。
【図７】この発明に基づいた実施の形態２におけるアライメント層への記録について説明する、記録媒体付近の光学系の構成を示した概略構成図である。
【図８】この発明に基づいた実施の形態２におけるアライメント用ホログラムの再生方法について説明する、記録媒体付近の光学系の構成を示した概略構成図である。
【図９】この発明に基づいた実施の形態２におけるサーボ信号検出時の動作を示す説明図である。
【符号の説明】
【００８１】
１  記録媒体、２  記録層、３  アライメント層、４  ホログラム、５，３８  アライメント用ホログラム、８  基板、１１  第１のレーザ、１２  コリメータレンズ、１３  空間光変調器、１４  第２のレーザ、１５  コリメータレンズ、１６，１７  ダイクロイックミラー、１８，１９  対物レンズ、２０  撮像素子、２１  レンズ、２２  ナイフエッジ、２３  受光素子、３１  記録層用の信号光、３２  記録層用の参照光、３３，３６  アライメント層用の信号光、３４，３７  アライメント層用の参照光、３５，３９  アライメント用の再生光、４０  集光レンズ、４１  シリンドリカルレンズ、４２  受光素子。
【図１】
2008052793.tif 000003
【図２】
2008052793.tif 000004
【図３】
2008052793.tif 000005
【図４】
2008052793.tif 000006
【図５】
2008052793.tif 000007
【図６】
2008052793.tif 000008
【図７】
2008052793.tif 000009
【図８】
2008052793.tif 000010
【図９】
2008052793.tif 000011